(57)【特許請求の範囲】
【請求項１】
ドアに取り付けられた車輪を走行自在に支持する走行レール本体と、前記走行レール本体に沿って延在されて当該走行レール本体を下側から支持する荷重受け部材と、前記走行レール本体と前記荷重受け部材との間に介在されて走行レール本体からの振動を吸収するクッション部材とからなり、前記走行レール本体が前記荷重受け部材に脱着可能に取り付けられており、前記走行レール本体の下面に該走行レール本体の連続方向に沿って延在する凸部が形成され、前記荷重受け部材の上面に前記走行レール本体の連続方向に沿って延在する溝状の凹部が形成されて互いに凹凸嵌合する凹凸嵌合部が構成され、前記走行レール本体の下面と前記荷重受け部材の上面には前記凹凸嵌合部の他に相互に対向する対向面が形成されて、前記凹凸嵌合部と前記対向面において前記走行レール本体と荷重受け部材との間に前記クッション部材を介在させてなり、前記凹部は、溝の縁の幅寸法Ａよりも溝の深さ方向の中間部の幅寸法Ｂが大になって当該溝の側面が凹状の断面円弧をなし、前記凸部は、前記凹部に対応する断面形状をして、高さ方向の中間部の幅寸法Ｃが首部の幅寸法Ｄよりも大になって当該凸部の側面が凸状の断面円弧をなし、前記幅寸法Ｃは前記幅寸法Ａよりも小となっていて、前記クッション部材は、その厚み寸法Ｅを前記幅寸法Ａと幅寸法Ｃとの差の半分の寸法より大にしてなり、弾性変形可能な板状部材により構成したことを特徴とするドア用のレール構造。
【請求項２】
前記クッション部材の厚み寸法Ｅを、前記幅寸法Ｂと幅寸法Ｃとの差の半分の寸法以上にしたことを特徴とする請求項１に記載のドア用のレール構造。
【請求項３】
前記走行レール本体の上面には該走行レール本体の連続方向に沿って延在する凸部が形成されており、前記車輪の外周面には前記走行レール本体の上面の凸部に係合する凹部が形成されていることを特徴とする請求項１または請求項２に記載のドア用のレール構造。
【請求項４】
前記走行レール本体の上面には該走行レール本体の連続方向に沿って延在する凹部が形成されており、前記車輪の外周面には前記走行レール本体の上面の凹部に係合する凸部が形成されていることを特徴とする請求項１または請求項２に記載のドア用のレール構造。
【請求項５】
前記走行レール本体と前記車輪のいずれか一方は他方よりも硬度の高い材料からなることを特徴とする請求項１から請求項４のいずれかに記載のドア用のレール構造。
【発明の詳細な説明】
【０００１】
【発明の属する技術分野】
この発明は自動ドアその他のドア用のレール構造に関する。
【０００２】
【従来の技術】
従来のドア用のレールは、摩耗を防止するためにドア用の車輪よりも硬度の高い物質から形成されていて、一般的にはアルミ押出材や鋼材を使用している。そして、かかるレールは、ドア用の車輪が走行するレール本体と、レール本体を建物などに取り付ける荷重受け部とが一体に形成されて、この荷重受け部において建物などにボルトなどの固着手段により固着されていた。
【０００３】
【発明が解決しようとする課題】
しかしながら、前記従来のドア用のレールにあっては、ドア用の車輪が直接接するレール本体が摩耗や傷によって交換を余儀なくされる場合には、前記荷重受け部を含めてレール全体を交換しなければならないから、その作業が大掛かりになるばかりでなく、交換のコストも大なるものがあるという不具合があった。
また、ドア用の車輪の走行による振動が建物などに直接伝達され、特に病院棟，住居棟，事務棟などの静粛性が求められる建物などへの使用には適さないという不具合があった。
【０００４】
この発明は、かかる不具合を解決するためになされたものであり、レール本体の交換の作業性をよくし且つコストを低下させることを目的としている。また、この発明は、ドア用の車輪の走行に起因する振動が建物などに伝達されるのを防止することを目的としている。
【０００５】
【課題を解決するための手段】
上記課題を解決するために、請求項１に記載の発明に係るドア用のレール構造は、ドアに取り付けられた車輪を走行自在に支持する走行レール本体と、前記走行レール本体に沿って延在されて当該走行レール本体を下側から支持する荷重受け部材と、前記走行レール本体と前記荷重受け部材との間に介在されて走行レール本体からの振動を吸収するクッション部材とからなり、前記走行レール本体が前記荷重受け部材に脱着可能に取り付けられており、前記走行レール本体の下面に該走行レール本体の連続方向に沿って延在する凸部が形成され、前記荷重受け部材の上面に前記走行レール本体の連続方向に沿って延在する溝状の凹部が形成されて互いに凹凸嵌合する凹凸嵌合部が構成され、前記走行レール本体の下面と前記荷重受け部材の上面には前記凹凸嵌合部の他に相互に対向する対向面が形成されて、前記凹凸嵌合部と前記対向面において前記走行レール本体と荷重受け部材との間に前記クッション部材を介在させてなり、前記凹部は、溝の縁の幅寸法Ａよりも溝の深さ方向の中間部の幅寸法Ｂが大になって当該溝の側面が凹状の断面円弧をなし、前記凸部は、前記凹部に対応する断面形状をして、高さ方向の中間部の幅寸法Ｃが首部の幅寸法Ｄよりも大になって当該凸部の側面が凸状の断面円弧をなし、前記幅寸法Ｃは前記幅寸法Ａよりも小となっていて、前記クッション部材は、その厚み寸法Ｅを前記幅寸法Ａと幅寸法Ｃとの差の半分の寸法より大にしてなり、弾性変形可能な板状部材により構成したことを特徴とする。前記ドアとしては、この発明では吊り扉を想定しているが、他のドアを除く趣旨ではない。荷重受け部材は、走行レール本体を支持してその荷重を建物その他に伝達する部材であって、複数の部材から構成されているものでもよいし、また全体が一体成形されたものであってもよい。
このように構成することにより、走行レール本体だけを交換することが可能になり、荷重受け部材の交換が不要になる。また、組み立てや走行レール本体の交換が容易になる。さらに、ドアの車輪が走行レール本体を走行した際に走行レール本体に振動が発生しても、この振動はクッション部材によって吸収されるため、振動が荷重受け部材を介して建物側に伝達されることがないか又は低減される。しかも、クッション部材を介してドアの荷重を荷重受け部材に十分に支持させることができるとともに、荷重受け部材と走行レール本体との間の振動低減効果をより高めることができる。また、走行レール本体と荷重受け部材の凹凸嵌合部の嵌合時には、クッション部材の弾性変形とその復元を伴うスナップアクションによって凹部内に凸部が拘束されるから、走行レール本体が荷重受け部材から外れることが防止される。
なお、前記凸部と凹部は走行レールの連続方向に延在するものであるが、走行レールの全長にわたって必ずしも連続するものでなくともよい。すなわち、走行レールの全長のうち、１個所又は複数個所には凸部と凹部が連続しない部分があってもよい。
クッション部材は、凹部と凸部の凹凸嵌合部に介在されるものであるから、その厚みが前記幅寸法Ａと幅寸法Ｃとの差の半分の寸法より小になるように変形可能である点は、請求項１において、凹凸嵌合部において走行レール本体と荷重受け部材との間にクッション部材を介在する構成とした点から読み取れる。
【００１０】
また、請求項２に記載の発明に係るドア用のレール構造は、前記請求項１に記載の発明において、前記クッション部材の厚み寸法Ｅを、前記幅寸法Ｂと幅寸法Ｃとの差の半分の寸法以上にしたことを特徴とする。
このように構成することにより、嵌合凹凸部の凹部内で凸部が遊ぶことがなく、凸部は凹部内で緊密に拘束されるため、荷重受け部材と走行レール本体とを確実に固定することができる。
【００１１】
また、請求項３に記載の発明に係るドア用のレール構造は、前記請求項１または請求項２に記載の発明において、前記走行レール本体の上面には該走行レール本体の連続方向に沿って延在する凸部が形成されており、前記車輪の外周面には前記走行レール本体の上面の凸部に係合する凹部が形成されていることを特徴とする。
このように構成することにより、ドアの車輪が走行レール本体から脱輪するのを防止することができる。また、走行レール本体の連続方向の反り返りを抑制することができる。
【００１２】
また、請求項４に記載の発明に係るドア用のレール構造は、前記請求項１または請求項２に記載の発明において、前記走行レール本体の上面には該走行レール本体の連続方向に沿って延在する凹部が形成されており、前記車輪の外周面には前記走行レール本体の上面の凹部に係合する凸部が形成されていることを特徴とする。
このように構成することにより、ドアの車輪が走行レール本体から脱輪するのを防止することができる。
【００１３】
また、請求項５に記載の発明に係るドア用のレール構造は、前記請求項１から請求項４のいずれかに記載の発明において、前記走行レール本体と前記車輪のいずれか一方は他方よりも硬度の高い材料からなることを特徴とする。
このように構成することにより、走行レール本体と車輪のうち硬度の高い材料からなる部材の方を、交換頻度の少ない部材に特定することができる。
【００１４】
【発明の実施の形態】
以下、この発明に係るドアのレール構造の実施の形態を図１から図４の図面を参照して説明する。
〔第１の実施の形態〕
初めに、この発明に係るドアのレール構造の第１の実施の形態を図１および図２の図面を参照して説明する。
図１は、建物側の部材１に荷重受け部材２が固定され、この荷重受け部材２に走行レール本体３が嵌合され、この走行レール本体３の上面に車輪４が転動自在に係合され、車輪４にはブラケット５を介してドア６が吊り下げられた状態を示している。車輪４は走行レール本体３の長手方向に複数が走行レール本体３に係合しており、ドア６はそれらの各車輪４によって走行レール本体３に走行自在に吊られている。
【００１５】
図２は図１の要部拡大図であって、荷重受け部材２と走行レール本体３との間にクッション部材７が介在している。クッション部材７は、シリコンゴム，エステル系ポリウレタン，エーテル系ポリウレタン，天然ゴム，クロロプレーンゴム，ネオプレーンゴム，酢酸ビニール，ブチルゴムなどの弾性体からなる板状の材料から構成されており、図２に示す断面形状に変形させている。
【００１６】
荷重受け部材２は押出成形されたアルミ材からなるが、他の金属又は合成樹脂（例えば、アクリルや塩化ビニール等）から構成してもよい。また、荷重受け部材２は全体が一体の部材からなるが、複数の部材を連結して構成してもよい。この荷重受け部材２において走行レール本体３が載荷される上面には、走行レール本体３の連続方向に沿って、凹部２ａが溝状に形成されるとともにこの凹部２ａの両側に平坦部２ｂが形成されている。この凹部２ａは深さ方向の中間の幅が膨らんだ形状をしている。すなわち、凹部２ａの縁、すなわち凹部２ａをなす溝の上端開口部の左右両側の部分の幅寸法Ａよりも、溝の深さ方向の中間部の幅寸法Ｂが大になっていて、当該溝の側面は凹状の断面円弧形状をなしている。
【００１７】
また、走行レール本体３も押出成形されたアルミ材からなるが、これも他の金属（例えば、オーステナイト系ステンレス材，マルテンサイト系ステンレス材，圧延鋼材や炭素鋼材などの各種鉄鋼材，銅合金等）又は合成樹脂からなるものであってもよい。この走行レール本体３の下面には、走行レール３の連続方向に沿って延在する凸部３ａが形成されるとともに、この凸部３ａの両側に平坦部３ｂが形成されている。前記荷重受け部材２の凹部２ａと走行レール本体３の凸部３ａによって凹凸嵌合部８が形成される。前記凸部３ａは、前記凹部２ａに対応する断面形状をしており、高さ方向の中間部の幅寸法Ｃがそれより上の首部の幅寸法Ｄよりも大になっていて、当該凸部３ａの側面は凸状の断面円弧形状をなしている。さらに、前記幅寸法Ｃは前記幅寸法Ａよりも小となっていて、凹部２ａと凸部３ａとの間には、断面において全体として均一な厚みの隙間が形成される。また、走行レール本体３の上面は、上側に突出する断面円弧状の凸部３ｃになっていて、この凸部３ｃは走行レール本体３の連続方向に延在している。この凸部３ｃは、走行レール本体３の連続方向への反り返りを起こしにくくする。
【００１８】
前記クッション部材７は、その厚み寸法Ｅを前記幅寸法Ａと幅寸法Ｃとの差の半分の寸法より大にしてなり、したがって凹部２ａに凸部３ａが入り込むときにはクッション部材７は圧縮変形を伴うことになる。また、前記クッション部材７の厚み寸法Ｅは、前記幅寸法Ｂと幅寸法Ｃとの差の半分の寸法以上の寸法をも有するから、凹部２ａに凸部３ａが嵌合された状態では、圧縮された状態のクッション部材７が凹部２ａと凸部３ａとの間に隙間なく充填されることとなる。
【００１９】
クッション部材７は予め図２に示すΩ形の断面形状に形成しておく。この断面形状は、荷重受け部材２の凹部２ａに走行レール本体３の凸部３ａを嵌合したときの両者間に形成される隙間の形状に対応させておく。そして、荷重受け部材２に対して走行レール本体３を取り付けるに際しては、クッション部材７を走行レール本体３に予め取り付けておく。走行レール本体３にクッション部材７を取り付けるには、走行レール本体３の凸部３ａに断面Ω形のクッション部材７を外嵌させればよい。クッション部材７は弾性変形可能であるから、当該クッション部材７が僅かな弾性変形を伴いながら、断面においで丸みのある凸部３ａに嵌合される。
【００２０】
次に、クッション部材７が外嵌された前記凸部３ａを凹部２ａ内に嵌入することにより走行レール本体３を荷重受け部材２に取り付ける。このとき、クッション部材７は厚み寸法Ｅが前記幅寸法Ａと幅寸法Ｃとの差の半分の寸法より大にしてあるため、クッション部材７の一部が圧縮されながら凸部３ａが凹部２ａ内に嵌合される。凸部３ａが凹部２ａ内に入り込んだ状態ではクッション部材７の前記圧縮が開放されて凸部３ａと凹部２ａとの隙間の厚みまではクッション部材７の厚みが復元して、凹部２ａ内で凸部３ａが拘束される。かくして、クッション部材７の前記弾性変形によるスナップアクションによって凸部３ａは凹部２ａ内に入り込み且つその状態が維持される。このため、走行レール本体３が荷重受け部材２から簡単に外れることがない。
【００２１】
ドア６の車輪４は、加工性がよく、走行レール本体３よりも硬度の低い、すなわち柔らかい樹脂材料（例えば、ポリアミド系樹脂，ポリアセタール系樹脂，ＡＢＳ樹脂，ポリカーボネイト系樹脂，フェノール系樹脂，ＭＣナイロン等）で形成されている。このように、走行レール本体３を車輪４よりも硬度の高い材料で形成したので、走行レール本体３を車輪４よりも摩耗しにくくさせて、走行レール本体３の交換品度を車輪４の交換頻度よりも少なくすることができる。
【００２２】
ただし、走行レール本体３も全く摩耗しないわけではなく、長期に亘って使用していると摩耗することもある。また、摩耗しなくとも何らかの理由により損傷する場合もある。このような時には、走行レール本体３およびクッション部材７を荷重受け部材２から取り外し、走行レール本体３を交換することができる。この場合、荷重受け部材２と走行レール本体３は、クッション部材７を介在させた凹部２ａと凸部３ａの嵌合によって連結されているので、走行レール本体３の脱着作業が容易になり、交換が容易にできる。また、荷重受け部材２は交換しなくても済むので、交換作業が容易になり、交換のためのコストも低減する。
【００２３】
また、車輪４の外周面にはその全周に断面円弧状をなす凹部４ａが形成されている。この凹部４ａは、走行レール本体３の上面の凸部３ｃに対応した形状をなし、車輪４は凹部４ａをこの凸部３ｃに係合させながら転動する。凹部４ａと凸部３ｃの係合により、車輪４が走行レール本体３から脱輪するのが防止される。
【００２４】
以上のように構成されたドア用のレール構造においては、荷重受け部材２の上面と走行レール本体３の下面との間にクッション部材７が介在し、もって荷重受け部材２と走行レール本体３との間はクッション部材７によって振動絶縁されている。したがって、走行レール本体３をドア６の車輪４が走行して走行レール本体３に振動が発生又は伝達されても、クッション部材７が前記振動を吸収するため、振動が荷重受け部材２を介して建物側の部材１に伝達されることがないか、又はこれが低減される。
【００２５】
〔第２の実施の形態〕
次に、この発明に係るドア用のレール構造の第２の実施の形態を図３および図４の図面を参照して説明する。第２の実施の形態のレール構造が第１の実施の形態のものと相違する点は、ドアの車輪と走行レール本体の形状だけであり、その他の構成および各部の寸法関係について第１の実施の形態のものと同じであるので、同一態様部分に同一符号を付して説明を省略する。
【００２６】
第２の実施の形態におけるドア６の車輪４と走行レール本体３との係合部の凹凸形状は、第１の実施の形態における係合部の凹凸形状と逆の関係になっている。詳述すると、第１の実施の形態においては、走行レール本体３の上面は断面円弧状の凸部３ｃとされ、ドア６の車輪４の外周面は断面円弧状をなす凹部４ａとされていたが、第２の実施の形態においては、走行レール本体３の上面は断面円弧状の凹部３ｄになっていて、この凹部３ｄが走行レール本体３の連続方向に延在しており、車輪４の外周面にはその全周に断面円弧状をなす凸部４ｂが形成されている。
【００２７】
そして、この凸部４ｂは、走行レール本体３の上面の凹部３ｄに対応した形状をなしていて、車輪４は凸部４ｂをこの凹部３ｄに係合させながら転動する。この第２の実施の形態においても凸部４ｂと凹部３ｄの係合により、車輪４が走行レール本体３から脱輪するのが防止される。
この第２の実施の形態のドア用のレール構造においても、第１の実施の形態の場合と同様の作用効果を得ることができる。
【００２９】
〔他の実施の形態〕
なお、この発明は前述した実施の形態に限られるものではない。例えば、前述した各実施の形態では、クッション部材７の厚み寸法Ｅを全体が同一のものとして説明したが、荷重受け部材２上面と走行レール本体３下面の平坦部２ｂ，３ｂ間における厚みと凹凸嵌合部８の厚みとは異なっていてもよい。この場合には、この発明及び前記の実施形態におけるクッション部材７の厚み寸法Ｅの説明は、凹凸嵌合部８における厚み寸法と読み換えるものとする。
【００３０】
また、前述した各実施の形態では、走行レール本体３をドア６の車輪４よりも硬度の高い材料で形成し、車輪４を走行レール本体３よりも交換頻度が多くなるようにし、すなわち、車輪４の方を消耗品として特定したが、場合によっては、車輪４を走行レール本体３よりもよりも硬度の高い材料で形成し、走行レール本体３を車輪４よりも交換頻度が多くなるようにし、走行レール本体３の方を消耗品として特定することも可能である。
【００３２】
【発明の効果】
以上説明したように、請求項１に記載の発明によれば、走行レールを走行レール本体と荷重受け部材とに分割し、且つ、走行レール本体を荷重受け部材に脱着可能に取り付けたことにより、走行レール本体のみの交換が可能となり荷重受け部材までの交換をする必要がないので、摩耗等した場合に走行レール本体の交換作業が容易になり、交換のためのコストも低減する。さらに、荷重受け部材と走行レール本体とを別体にしたことにより、夫々を別の材料で形成できるので、夫々の機能に合う材料を選択することができる。
【００３３】
また、請求項１に記載の発明によれば、荷重受け部材と走行レール本体との結合を嵌合手段によって行うので、組み立てや走行レール本体の交換が容易にできる。
【００３４】
また、請求項１に記載の発明によれば、走行レール本体と荷重受け部材との間にクッション部材を介在させたことにより、走行レール本体をドアの車輪が走行して当該走行レール本体に振動が発生又は伝達されても、クッション部材が前記振動を吸収するため、振動が荷重受け部材を介して建物側に伝達されることがないか又はこれが低減される。
【００３５】
また、請求項１に記載の発明によれば、荷重受け部材と走行レール本体の凹凸嵌合部以外の対向面にもクッション部材が介在されていることにより、これらクッション部材を介してドアの荷重を荷重受け部材に十分に支持させることができるとともに、荷重受け部材と走行レール本体との間の振動低減効果をさらに高めることができる。
【００３６】
また、請求項１に記載の発明によれば、凹凸嵌合部における凹部の縁の幅寸法と凸部の高さ方向中間部の最大幅寸法とを特定したことにより、凹凸嵌合部の嵌合時にはクッション部材の弾性変形とその復元を伴うスナップアクションによって凹部内に凸部が拘束されるので、走行レール本体が荷重受け部材から外れることが防止される。
【００３７】
また、請求項２に記載の発明によれば、請求項１の効果に加えて、クッション部材の厚み寸法を凹部と凸部の隙間の厚み寸法以上にしたことにより、凹部内で凸部が遊ぶことがなく、したがって凸部は凹部内に緊密に拘束されるので、荷重受け部材と走行レール本体とが確実に固定される。
【００３８】
また、請求項３および請求項４に記載の発明によれば、請求項１および請求項２の効果に加えて、走行レール本体の上面とドアの車輪の外周面に互いに係合する凹部と凸部を設けたことにより、車輪が走行レール本体から脱輪するのを防止することができる。
特に、請求項３に記載の発明では、走行レール本体の上面に凸部を設けたので、走行レール本体の連続方向の反り返りを抑制することができる。
【００３９】
また、請求項５に記載の発明によれば、請求項１から請求項４の効果に加えて、走行レール本体と車輪のいずれか一方を他方よりも硬質な材料から構成したことにより、走行レール本体と車輪のうち硬度の高い材料からなる部材の方を、交換頻度の少ない部材に特定することができる。
【図面の簡単な説明】
【図１】この発明に係るドアのレール構造における第１の実施の形態の一部を破断して示す図である。
【図２】前記第１の実施の形態の要部を拡大して示す断面図である。
【図３】この発明に係るドアのレール構造における第２の実施の形態の一部を破断して示す図である。
【図４】前記第２の実施の形態の要部を拡大して示す断面図である。
【符号の説明】
１                建物側の部材
２                荷重受け部材
２ａ              凹部
２ｂ              平坦部（対向面）
３                走行レール本体
３ａ              凸部
３ｂ              平坦部（対向面）
３ｃ              凸部
３ｄ              凹部
４                車輪
４ａ              凹部
４ｂ              凸部
６                ドア
７                クッション部材
８                凹凸嵌合部
Ａ，Ｂ，Ｃ，Ｄ    幅寸法
【図１】
0003568902.tif 000002
【図２】
0003568902.tif 000003
【図３】
0003568902.tif 000004
【図４】
0003568902.tif 000005